(57)【特許請求の範囲】
【請求項１】
アナログ放送の放送波信号とデジタル放送の放送波信号とが隣接する周波数帯で放送される放送システムのための受信機において、
上記アナログ放送の放送波信号を受信したときの信号を処理してオーディオ信号を取り出すアナログ処理回路と、
上記デジタル放送の放送波信号を受信したときの信号を処理してオーディオ信号を取り出すデジタル信号処理回路と、
上記アナログ処理回路からの上記オーディオ信号と上記デジタル信号処理回路からの上記オーディオ信号とを選択的に取り出す切換回路と、
上記デジタル処理回路への動作電源電圧の供給を制御する制御回路と、
アナログ放送の放送波信号あるいはデジタル放送の放送波信号が受信可能な信号レベルにあることを検出する検出手段と、
上記切換回路により選択的に取り出されるオーディオ信号の信号ラインに設けられたミューティング回路とを有し、
上記制御回路は、選局操作が行われると、上記ミューティング回路をオンにするとともに、上記デジタル信号処理回路への動作電源電圧の供給を停止し、受信周波数の設定を行い、上記アナログ処理回路によりアナログ放送が受信可能か否かを上記検出手段による検出出力に基づいて判定し、上記アナログ処理回路によりアナログ放送が受信可能な状態にあるときには、上記デジタル信号処理回路によりデジタル放送を受信可能か否かを上記検出手段による検出出力に基づいて判定し、上記デジタル信号処理回路によりデジタル放送が受信可能な状態にあるときに、上記デジタル信号処理回路への動作電源電圧を供給して、上記デジタル信号処理回路によりデジタル放送が受信されると、上記ミューティング回路をオフとし、上記デジタル信号処理回路によりデジタル放送が受信されない場合には、上記デジタル処理回路への動作電源電圧の供給を停止し、上記アナログ処理回路によるアナログ放送の受信状態にして、上記ミューティング回路をオフとする受信機。
【請求項２】
上記検出手段は、所定のレベル以上の信号強度で受信しているか否かを検出する検出回路を備えていることを特徴とする請求の範囲第１項記載の受信機。
【請求項３】
上記検出手段は、上記デジタル放送の放送波信号の信号強度を所定の時間ごとに検出して判別することを特徴とする請求の範囲第２項記載の受信機。
【請求項４】
アナログ放送の放送波信号とデジタル放送の放送波信号とが隣接する周波数帯で放送される放送システムのための受信方法において、
選局操作時に、アナログ放送の放送波信号を受信したときの信号をアナログ処理回路により処理して得られるオーディオ信号又はデジタル放送の放送波信号を受信したときの信号をデジタル信号処理回路により処理して得られるオーディオ信号が選択的に取り出される信号ラインに設けられたミューティング回路をオンにするとともに、上記デジタル信号処理回路への動作電源電圧の供給を停止し、
受信周波数の設定を行い、
上記アナログ処理回路によりアナログ放送が受信可能か否かを判定し、上記アナログ処理回路によりアナログ放送が受信可能な状態にあるときには、上記デジタル信号処理回路によりデジタル放送を受信可能か否かを判定し、上記デジタル信号処理回路によりデジタル放送が受信可能な状態にあるときに、上記デジタル信号処理回路への動作電源電圧を供給して、上記デジタル信号処理回路によりデジタル放送が受信されると、上記ミューティング回路をオフとし、
上記デジタル信号処理回路によりデジタル放送が受信されない場合には、上記デジタル処理回路への動作電源電圧の供給を停止し、上記アナログ処理回路によるアナログ放送の受信状態にして、上記ミューティング回路をオフとする受信方法。
【発明の詳細な説明】
【０００１】
【発明の属する技術分野】
本発明は、放送波を受信する受信機及び受信方法に関し、特に、アナログ放送の放送波信号とデジタル放送の放送波信号とが隣接する周波数帯で放送される放送システムのための受信機及び受信方法に関する。
【０００２】
【従来の技術】
ＡＭ（Amplitude Modulation）放送やＦＭ（Frequency Modulation）放送において、放送されるオーディオ情報等の素材は、デジタル化された情報に変換されているが、放送波信号には、アナログ信号を用いるアナログ方式が採用されている。
【０００３】
放送波信号にデジタル信号を用いことにより、高品質のオーディオ情報の放送を行うことができるばかりか、オーディオ情報に他の付加データを加えて放送を行うことも可能になる。さらに、周波数の利用効率を向上でき、さらに多数の放送を行うことが可能となる。
【０００４】
放送波信号にデジタル信号を用いるデジタル放送を受信するには、アナログ放送受信機に代わってデジタル放送受信機が新たに必要になる。そこで、アナログ放送からデジタル放送へ抵抗なくスムーズに移行できるようにするため、アナログ放送と新しいデジタル放送とが共存される移行期間があることが望まれる。
【０００５】
アナログ放送とデジタル放送を共存可能とする放送方式として、ＩＢＯＣ（In Band On Channel）方式と総称されるものが提案されている。このＩＢＯＣ方式は、アナログ放送の放送波とデジタル放送の放送波とを図５Ａに示すように周波数配置とすることにより共存を実現するものである。
【０００６】
すなわち、図５Ａにおいて、符号ＳＡは、これまでのアナログのＦＭ放送の放送波信号（ＦＭ信号）を示し、そのキャリア周波数は周波数ｆＲｘである。このアナログ放送波信号ＳＡに対してデジタル放送の放送波信号を共存させるときには、放送波信号ＳＡの両側に隣接して、デジタル放送の放送波信号ＳＤ、ＳＤを配置する。この場合、放送波信号ＳＤ、ＳＤは、どちらか一方だけのこともある。また、放送波信号ＳＤによる番組内容は、アナログ放送波信号ＳＡによる番組内容と、一般には同一とされる。さらに、将来的には、アナログ放送波信号ＳＡを停波してデジタル放送波信号ＳＤだけで放送を行い、あるいは、放送波信号ＳＡが使用していた周波徴領域をデジタル放送に使用する。なお、アナログ放送からデジタル放送への移行には、１０年〜１５年がかかると見られている。
【０００７】
したがって、リスナがアナログ放送とデジタル放送との共存に対応する場合には、移行期間から移行後も動作する受信機、すなわち、アナログ放送もデジタル放送も受信できる受信機が必要となる。
【０００８】
【発明が解決しようとする課題】
ところで、アナログ放送受信機の消費電力が３０ｍＷ程度であるのに比べ、デジタル放送受信機の消費電力は１Ｗ前後となり、アナログ放送受信機の消費電力の３０倍程度になっている。したがって、アナログ放送及びおよびデジタル放送を受信できる受信機は、アナログ放送を受信しているときであっても、大きな電力を消費してしまう。
【０００９】
本発明の目的は、アナログ放送及びデジタル放送のいずれをも受信可能とする新規な受信機及び受信方法を提供することにある。
【００１０】
本発明の他の目的は、デジタル放送の受信が可能である状態にあるときのみ、デジタル処理回路への電源電圧の供給を行い、消費電力の削減を図るようにしたアナログ放送及びデジタル放送のいずれをも受信可能とする受信機及び受信方法を提供することにある。
【００１１】
本発明の更に他の目的は、デジタル放送の有無を正確に判別し、デジタル放送の選局を確実に行うことができるアナログ放送及びデジタル放送のいずれをも受信可能とする受信機及び受信方法を提供することにある。
【００１２】
本発明の更に他の目的は、アナログ放送の選局を確実に行うことができるアナログ放送及びデジタル放送兼用型の受信機及び受信方法を提供することにある。
【課題を解決するための手段】
【００１３】
このような目的を達成するため、本発明は、アナログ放送の放送波信号とデジタル放送の放送波信号とが隣接する周波数帯で放送される放送システムのための受信機において、上記アナログ放送の放送波信号を受信したときの信号を処理してオーディオ信号を取り出すアナログ処理回路と、上記デジタル放送の放送波信号を受信したときの信号を処理してオーディオ信号を取り出すデジタル信号処理回路と、上記アナログ処理回路からの上記オーディオ信号と上記デジタル信号処理回路からの上記オーディオ信号とを選択的に取り出す切換回路と、上記デジタル処理回路への動作電源電圧の供給を制御する制御回路と、アナログ放送の放送波信号あるいはデジタル放送の放送波信号が受信可能な信号レベルにあることを検出する検出手段と、上記切換回路により選択的に取り出されるオーディオ信号の信号ラインに設けられたミューティング回路とを有し、上記制御回路は、選局操作が行われると、上記ミューティング回路をオンにするとともに、上記デジタル信号処理回路への動作電源電圧の供給を停止し、受信周波数の設定を行い、上記アナログ処理回路によりアナログ放送が受信可能か否かを上記検出手段による検出出力に基づいて判定し、上記アナログ処理回路によりアナログ放送が受信可能な状態にあるときには、上記デジタル信号処理回路によりデジタル放送を受信可能か否かを上記検出手段による検出出力に基づいて判定し、上記デジタル信号処理回路によりデジタル放送が受信可能な状態にあるときに、上記デジタル信号処理回路への動作電源電圧を供給して、上記デジタル信号処理回路によりデジタル放送が受信されると、上記ミューティング回路をオフとし、上記デジタル信号処理回路によりデジタル放送が受信されない場合には、上記デジタル処理回路への動作電源電圧の供給を停止し、上記アナログ処理回路によるアナログ放送の受信状態にして、上記ミューティング回路をオフとすることを特徴とする。
【００１４】
また、本発明は、アナログ放送の放送波信号とデジタル放送の放送波信号とが隣接する周波数帯で放送される放送システムのための受信方法において、選局操作時に、アナログ放送の放送波信号を受信したときの信号をアナログ処理回路により処理して得られるオーディオ信号又はデジタル放送の放送波信号を受信したときの信号をデジタル信号処理回路により処理して得られるオーディオ信号が選択的に取り出される信号ラインに設けられたミューティング回路をオンにするとともに、上記デジタル信号処理回路への動作電源電圧の供給を停止し、受信周波数の設定を行い、上記アナログ処理回路によりアナログ放送が受信可能か否かを判定し、上記アナログ処理回路によりアナログ放送が受信可能な状態にあるときには、上記デジタル信号処理回路によりデジタル放送を受信可能か否かを判定し、上記デジタル信号処理回路によりデジタル放送が受信可能な状態にあるときに、上記デジタル信号処理回路への動作電源電圧を供給して、上記デジタル信号処理回路によりデジタル放送が受信されると、上記ミューティング回路をオフとし、上記デジタル信号処理回路によりデジタル放送が受信されない場合には、上記デジタル処理回路への動作電源電圧の供給を停止し、上記アナログ処理回路によるアナログ放送の受信状態にして、上記ミューティング回路をオフとすることを特徴とする。
【００１５】
【発明の実施の形態】
以下、本発明をダイレクトコンバージョン方式の受信機に適用した例を挙げて説明する。
【００１６】
本発明に係る受信機は、アナログ放送の放送波信号とデジタル放送の放送波信号とが隣接する周波数帯で放送される放送システムに用いられるものであって、図１に示すように、システム制御用のマイクロコンピュータ４０を備え、このマイクロコンピュータ４０に各種の操作キー（スイッチ）４１が接続されている。
【００１７】
この受信機は、アナログ放送あるいはデジタル放送を定常的に受信している場合には、その受信は次のように行われる。
【００１８】
アンテナ１１により受信された放送波信号が、電子同調方式のアンテナ同調回路１２に供給されて目的とする周波数ｆＲＸの受信信号ＳＲＸが選択されて取り出され、この信号ＳＲＸが高周波アンプ１３を通じて第１及び第２のミキサ回路１４Ｉ及び１４Ｑに供給される。また、局部発振回路１５がＰＬＬにより構成され、操作キー４１により選局の操作を行うと、マイクロコンピュータ４０により局部発振回路１５の発振周波数が制御され、受信周波数ｆＲＸに等しい発振周波数で、位相が互いに９０゜異なる局部発振信号ＳＬＩ、ＳＬＱが形成される。これら信号ＳＬＩ、ＳＬＱは、ミキサ回路１４Ｉ、１４Ｑにそれぞれ供給される。このとき、局部発振回路１５を構成しているＰＬＬのＶＣＯ（図示せず）に供給される制御電圧の一部がアンテナ同調回路１２に選局電圧として供給される。こうして、受信信号ＳＲＸは、ミキサ回路１４Ｉ、１４Ｑにおいて、中間周波信号ＳＬＩ、ＳＬＱに周波数変換され、ミキサ回路１４Ｉ、１４Ｑから取り出される。
【００１９】
この場合、局部発振信号ＳＬＩ、ＳＬＱの周波数ｆＲＸは、受信周波数ｆＲＸに等しいので、図５Ａに示すような放送波を受信しているときには、中間周波信号ＳＩＩ、ＳＩＱは、例えば図５Ｂに示すように、中間周波数は０であり、低域側にアナログ放送波信号ＳＡから周波数変換された信号ＳＡＩ、ＳＡＱを有するとともに、高域側にデジタル放送波信号ＳＤから周波数変換された信号ＳＤＩ、ＳＤＱを有する。このとき、アナログ放送波信号ＳＡから周波数変換された信号ＳＡＩ、ＳＡＱの位相は、局部発振信号ＳＬＩ、ＳＬＱの位相に対応して互いに９０゜異なる。
【００２０】
そして、これら中間周波信号ＳＩＩ、ＳＩＱがローパスフィルタ２１Ｉ、２１Ｑに供給され、中間周波信号ＳＩＩ、ＳＩＱからアナログ放送波信号ＳＡから周波数変換された信号ＳＡＩ、ＳＡＱが取り出される。これら信号ＳＡＩ、ＳＡＱが、後述するスイッチ回路２２Ｉ、２２Ｑを通し、さらに、アンプ２３Ｉ、２３Ｑを通じてアナログ処理回路２４に供給される。この処理回路２４は、信号ＳＡＩ、ＳＡＱに対して位相処理及び演算処理などを行うとともに、ステレオ復調処理を行って信号ＳＡＩ、ＳＡＱからアナログ放送におけるオーディオ信号Ｌ、Ｒを取り出す。このオーディオ信号Ｌ、Ｒは、切り換え回路１６に供給される。
【００２１】
さらに、ミキサ回路１４Ｉ、１４Ｑからの中間周波信号ＳＩＩ、ＳＩＱが、バンドパスフィルタ３１Ｉ、３１Ｑに供給され中間周波信号ＳＩＩ、ＳＩＱからデジタル放送波信号ＳＤから周波数変換された信号ＳＤＩ、ＳＤＱが取り出され、これら信号ＳＤＩ、ＳＤＱがスイッチ回路２２Ｉ、２２Ｑに供給されるとともに、アンプ３３Ｉ、３３Ｑを通じてデジタル処理回路３４に供給される。この処理回路３４は、デジタル放送の放送方式に対応し中間周波信号ＳＤＩ、ＳＤＱからオーディオ信号Ｌ、Ｒを復調するものである。このオーディオ信号Ｌ、Ｒは、切り換え回路１６に供給される。なお、アンプ３３Ｉ、３３Ｑ及び処理回路３４は、例えば１チップＩＣ３０に集積化されている。
【００２２】
そして、マイクロコンピュータ４０から切り換え回路１６に制御信号Ｓ４０が供給され、処理回路２４からのオーディオ信号Ｌ、Ｒと、処理回路３４からのオーディオ信号Ｌ、Ｒとの一方が選択され、その選択されたオーディオ信号Ｌ、Ｒがミューティング回路１７を通じてアナログ放送あるいはデジタル放送の受信出力として取り出される。このとき、ミューティング回路１７には、マイクロコンピュータ４０からミューティング制御信号Ｓ１７が供給される。
【００２３】
本発明に係る受信機は、さらに次のような構成を備える。
【００２４】
本発明に係る受信機は、スイッチ回路２２Ｉ、２２Ｑが、図１に示す状態に接続されていれば、ローパスフィルタ２１Ｉ、２１Ｑからの中間周波信号ＳＡＩ、ＳＡＱがスイッチ回路２２Ｉ、２２Ｑを通じてアンプ２３Ｉ２３１、２３Ｑに供給される。スイッチ回路２２Ｉ、２２Ｑが、図１に示す状態とは逆の状態に接続されていれば、バンドパスフィルタ３１Ｉ、３１Ｑからの中間周波信号ＳＤＩ、ＳＤＱがスイッチ回路２２Ｉ、２２Ｑを通じてアンプ２３Ｉ、２３Ｑに供給される。
【００２５】
そこで、アンプ２３Ｉ、２３Ｑにおける中間周波信号（信号ＳＡＩ、ＳＡＱあるいはＳＤＩ、ＳＤＱ）がレベル検出回路５１に供給され、放送波信号（アナログ放送波信号ＳＡあるいはデジタル放送波信号ＳＤ）を所定のレベル以上のレベルで受信できるかどうかが検出され、その検出信号Ｓ５１がマイクロコンピュータ４０に供給される。なお、このレベル検出回路５１は、一般にＲＳＳＩ（Received Signal Strength Indicator）回路とも称されている。
【００２６】
また、処理回路３４から、この処理回路３４におけるデジタル処理の同期が取れているかどうかを示す信号（同期フラグ）Ｓ３４が取り出され、この信号Ｓ３４がマイクロコンピュータ４０に供給される。
【００２７】
さらに、アンプ３３Ｉから処理回路３４に至る電源ライン、すなわち、ＩＣ３０の電源ラインに、その電源供給の制御回路としてスイッチ回路５２が接続されるとともに、マイクロコンピュータ４０からスイッチ回路５２にその制御信号Ｓ５２が供給される。また、マイクロコンピュータ４０からスイッチ回路２２Ｉ、２２Ｑにその制御信号Ｓ４０が供給される。さらに、マイクロコンピュータ４０には、そのＣＰＵ（図示せず）が実行するプログラムの一部として、例えば図２に示すような受信ルーチン１００が用意される。
【００２８】
このような構成を備えた受信機において、選局の操作が行われると、図２に示すように、マイクロコンピュータ４０のＣＰＵの処理がルーチン１００のステップ１０１からスタートし、次にステップ１０２において、ミューティング制御信号Ｓ１７によりミューティング回路１７が制御されてミューティングがオンとされ、続いて、ステップ１０３において、制御信号Ｓ５２によりスイッチ回路５２がオフとされてＩＣ３０の電源がオフとされる。
【００２９】
さらに、ステップ１０４において、制御信号S４０により、スイッチ回路２２Ｉ、２２Ｑが、図１に示すように、ローパスフィルタ２１Ｉ、２１Ｑに接続されるとともに、切り換え回路１６がアナログ処理回路２４に接続される。したがって、この時点から検出回路５１において、アナログ放送の受信レベルの検出が可能となる。
【００３０】
次に、ステップ１１１において、局部発振回路１５に所定の周波数データが供給されて受信周波数が目的とする周波数ｆＲＸに設定され、続いてステップ１１２において、検出回路５１の検出信号Ｓ５１をチェックすることにより放送を受信できるかどうか、すなわち、この状態はステップ１０４の処理後なので、アナログ放送を受信できるかどうかが判別される。
【００３１】
そして、アナログ放送が受信可能な状態にあるときは、処理はステップ１１２からステップ１１３に進み、このステップ１１３において、制御信号Ｓ４０により、スイッチ回路２２Ｉ、２２Ｑが、図１に示す状態とは逆にバンドパスフィルタ３１Ｉ、３１Ｑに接続されるとともに、切り換え回路１６がデジタル処理回路３４に接続される。この時点から、検出回路５１において、デジタル放送の受信レベルが検出可能な状態となる。
【００３２】
続いて、ステップ１１４において、検出回路５１の検出信号Ｓ５１をチェックすることにより放送を受信できるかどうか、すなわち、この状態は、ステップ１１３の処理後なので、デジタル放送を受信できるかどうかが判別される。そして、デジタル放送を受信できるときには、処理はステップ１１４からステップ１１５に進み、このステップ１１５において、制御信号Ｓ５２によりスイッチ回路５２がオンとされてＩＣ３０に電源電圧が供給される。したがって、以後、ＩＣ３０はデジタル放送の中間周波信号ＳＤＩ、ＳＤＱからオーディオ信号Ｌ、Ｒを復調するための処理を実行するようになる。
【００３３】
次に、処理はステップ１１６に進み、このステップ１１６において、信号Ｓ３４をチェックすることにより、デジタル処理回路３４において、同期が取れたかどうかが判別され、同期が取れているときには、処理はステップ１１６からステップ１１７に進み、このステップ１１７において、ミューティング回路１７のミューティングがオフとされる。このとき、ステップ１１３により、切り換え回路１６はデジタル処理回路３４に接続されているので、この時点からデジタル放送によるオーディオ信号Ｌ、Ｒが、ミューティング回路１７を通じて出力されることになる。また、ルーチン１００の処理は、続くステップ１１８により終了する。
【００３４】
こうして、デジタル放送を受信できるときには、そのデジタル放送が選択されてデジタル放送によるオーディオ信号Ｌ、Ｒが出力される。
【００３５】
ステップ１１６において、同期が取れないときには、処理はステップ１１６からステップ１２１に進み、このステップ１２１において、制御信号Ｓ５２によりスイッチ回路５２がオフとされてＩＣ３０の電源がオフとされる。
【００３６】
続いて、処理はステップ１２２に進み、このステップ１２２において、制御信号Ｓ４０により、スイッチ回路２２Ｉ、２２Ｑが、図１に示すように、ローパスフィルタ２１Ｉ、２１Ｑに接続されるとともに、切り換え回路１６がアナログ処理回路２４に接続され、その後、処理はステップ１１６からステップ１１７に進み、このステップ１１７において、ミューティング回路１７のミューティングがオフとされる。この時点からアナログ放送によるオーディオ信号Ｌ、Ｒが出力されることになる。すなわち、デジタル放送を受信できても、同期の取れないときには、アナログ放送が選択されてアナログ放送によるオーディオ信号Ｌ、Ｒが出力される。
【００３７】
さらに、ステップ１１４において、デジタル放送を受信できないときには、処理はステップ１１４からステップ１２２に進む。この場合には、アナログ放送が選択されてアナログ放送によるオーディオ信号Ｌ、Ｒが出力される。このとき、ステップ１０３により、ＩＣ３０の電源はオフのままである。
【００３８】
また、ステップ１１２において、アナログ放送を受信できないときには、処理はステップ１１２からステップ１１８に進む。この場合には、放送波の選択は行われないことになり、例えばスキャンによる選局時であれば、次の受信周波数において、再び受信ルーチン１００が実行される。そして、このとき、ステップ１０３により、ＩＣ３０の電源はオフのままである。
【００３９】
また、本発明に係る受信機は、図３に示すような受信ルーチン２００を実行することができる。
【００４０】
図３に示す受信ルーチン２００において、ステップ２０１〜２１１及びステップ２１３〜２１７は、上述した図２に示す受信ルーチン１００におけるステップ１０１〜１１１及びステップ１１３〜１１７と同じ処理を行うもので、ここでの説明は省略する。
【００４１】
ステップ２１２において、アナログ放送を受信できないときには、処理はステップ２３１に進む。このステップ２３１において、制御信号Ｓ４０により、スイッチ回路２２I、２２Ｑが図１とは逆にバンドパスフィルタ３１I、３１Ｑに接続されるとともに、切り換え回路１６がデジタル処理回路３４に接続される。これにより、検出回路５１においてデジタル放送の受信レベルを検出できることになる。
【００４２】
続いて、ステップ２３２において、検出回路５１の検出信号Ｓ５１をチェックすることにより放送を受信できるかどうか、すなわち、今の場合には、ステップ２３１の処理後なので、デジタル放送を受信できるかどうかが判別される。そして、デジタル放送を受信できるときには、処理はステップ２３２からステップ２３３に進み、このステップ２３３において、制御信号Ｓ５２によりスイッチ回路５２がオンとされてＩＣ３０に電源電圧が供給される。したがって、以後、ＩＣ３０はデジタル放送の中間周波信号ＳＤＩ、ＳＤＱからオーディオ信号Ｌ、Ｒを復調するための処理を実行するようになる。
【００４３】
次にステップ２３４の処理に進み、このステップ２３４において、信号Ｓ３４をチェックすることにより、デジタル処理回路３４において、同期が取れたかどうかが判別され、同期が取れているときには、処理はステップ２３４からステップ２１７に進み、このステップ２１７において、ミューティング回路１７のミューティングがオフとされる。このとき、ステップ２３１により、切り換え回路１６はデジタル処理回路３４に接続されているので、この時点からデジタル放送によるオーディオ信号Ｌ、Ｒが、ミューティング回路１７を通じて出力されることになる。また、ルーチン２００の処理は、続くステップ２１８により終了する。
【００４４】
こうして、アナログ放送を受信できないときでもデジタル放送を受信できるときには、そのデジタル放送が選択されてデジタル放送によるオーディオ信号Ｌ、Ｒが出力される。
【００４５】
ステップ２３４において、同期が取れないときには、処理はステップ２３４からステップ２４１に進み、このステップ２４１において、制御信号Ｓ５２によりスイッチ回路５２がオフとされてＩＣ３０の電源がオフとされ、ステップ２１８により終了する。
【００４６】
さらに、ステップ２３２において、デジタル放送を受信できないときには、処理はステップ２３２からステップ２１８に進む。この場合には、放送の選択は行われないことになり、例えばスキャンによる選局時であれば、次の受信周波数において、再びルーチン２００が実行される。そして、このとき、ステップ２０３により、ＩＣ３０の電源はオフのままである。
【００４７】
このように、本発明に係る受信機及び受信方法によれば、まず、アナログ放送を受信できるかどうかを判別した後に隣接する周波数帯のデジタル放送を受信できるかどうかを判別し、デジタル放送を受信できる場合のみ、デジタル信号処理回路３４に動作電源電圧を供給するようにしているので、余分な電力消費を抑えることができる。
【００４８】
また、選局時には、デジタル処理回路３４の動作が停止しているので、このデジタル処理回路３４において発生するノイズ信号が選局動作や受信レベルの検出に妨害を与えることがない。さらに、デジタル放送の有無を正確に判別することができる。
【００４９】
なお、上述の例においては、受信ルーチン１００又は２００が選局時に実行されるとしたが、電源投入時にも実行することができ、その場合には、ステップ１１１又は２１１において、前回電源をオフにしたとき受信していた周波数、すなわち、いわゆるラストチャンネルを設定するようにしてもよい。
【００５０】
上述の受信ルーチン１００又は２００は、アナログ放送を受信できるかどうかを判別した後にデジタル放送を受信できるかどうかを判別したが、もちろん、先にデジタル放送を受信できるかどうかを判別してもよい。これの例を図４に示すような受信ルーチン３００で説明する。
【００５１】
受信ルーチン３００におけるステップ３０１からステップ３０３までは、前述した図２に示す受信ルーチン１００におけるステップ１０１からステップ１０３と同様であるので、説明を省略する。
【００５２】
続くステップ３０４において、制御信号Ｓ４０により、スイッチ回路２２Ｉ、２２Ｑが図１とは逆にバンドパスフィルタ３１I、３１Ｑに接続されるとともに、切り換え回路１６がデジタル処理回路３４に接続される。この時点から検出回路５１においてデジタル放送の受信レベルを検出できることになる。
【００５３】
次に、ステップ３１１において、局部発振回路１５に所定の周波数データが供給されて受信周波数が目的とする周波数ｆＲＸに設定され、続いてステップ３１２において、検出回路５１の検出信号Ｓ５１をチェックすることにより放送を受信できるかどうか、すなわち、今の場合には、ステップ３０４の処理後なので、デジタル放送を受信できるかどうかが判別される。
【００５４】
デジタル放送を受信できるときには、処理はステップ３１２からステップ３２１に進み、このステップ３２１において、制御信号Ｓ５２によりスイッチ回路５２がオンとされてＩＣ３０に電源電圧が供給される。以後、ＩＣ３０は、デジタル放送の中間周波信号ＳＤＩ、ＳＤＱからオーディオ信号Ｌ、Ｒを復調するための処理を実行するようになる。
【００５５】
次に、処理はステップ３２２に進み、このステップ３２２において、信号Ｓ３４をチェックすることにより、デジタル処理回路３４において、同期が取れたかどうかが判別され、同期が取れているときには、処理はステップ３２２からステップ３１５に進み、このステップ３１５において、ミューティング回路１７のミューティングがオフとされる。このとき、ステップ３０４により、切り換え回路１６はデジタル処理回路３４に接続されているので、この時点からデジタル放送によるオーディオ信号Ｌ、Ｒが、ミューティング回路１７を通じて出力されることになる。また、受信ルーチン３００の処理は、続くステップ３１６により終了する。
【００５６】
ステップ３２２において、同期が取れないときには、処理はステップ３２２からステップ３３１に進み、このステップ３３１において、制御信号Ｓ５２によりスイッチ回路５２がオフとされてＩＣ３０の電源がオフとされ、ステップ３１６により終了する。
【００５７】
また、ステップ３１２において、デジタル放送を受信できないときには、処理はステップ３１３に進む。このステップ３１３において、制御信号Ｓ４０により、スイッチ回路２２Ｉ、２２Ｑが図のようにローパスフィルタ２１Ｉ、２１Ｑに接続されるとともに、切り換え回路１６がアナログ処理回路２４に接続される。これにより、検出回路５１においてアナログ放送の受信レベルを検出できることになる。
【００５８】
続くステップ３１４において、検出回路５１の検出信号Ｓ５１をチェックすることにより放送を受信できるかどうか、すなわち、今の場合には、ステップ３１３の処理後なので、アナログ放送を受信できるかどうかが判別される。
【００５９】
アナログ放送を受信できるときには、処理はステップ３１４からステップ３１５に進み、このステップ３１５において、ミューティング回路１７のミューティングがオフとされる。このとき、ステップ３１３により、切り換え回路１６はアナログ処理回路２４に接続されているので、この時点からアナログ放送によるオーディオ信号Ｌ、Ｒが、ミューティング回路１７を通じて出力されることになる。また、受信ルーチン３００の処理は、続くステップ３１６により終了する。
【００６０】
こうして、デジタル放送が受信できないときでも、アナログ放送を受信できるときには、そのアナログ放送が選択されてアナログ放送によるオーディオ信号Ｌ、Ｒが出力される。
【００６１】
ステップ３１４において、アナログ放送が受信できないときには、処理はステップ３１４からステップ３１６に進み、受信ルーチン３００の処理は終了する。したがって、この場合には、放送の選択は行われないことになり、例えばスキャンによる選局時であれば、次の受信周波数において、再び受信ルーチン３００が実行される。
【００６２】
なお、前述した図２に示す受信ルーチン１００におけるステップ１１２又は図３に示す受信ルーチン２００におけるステップ２１２でアナログ放送を受信できたときには、そのアナログ放送によるオーディオ信号Ｌ、Ｒをミューティング回路１７から出力し、その後、デジタル放送を受信できたら、デジタル放送によるオーディオ信号Ｌ、Ｒの出力に切り換えることもできる。デジタル放送を受信できるかの判別は、所定の時間ごとに検出して行うようにしてもよい。あるいは、その切り換えもリスナの操作により行うようにする、すなわち、アナログ放送とデジタル放送とが行われているときには、リスナが好みの放送を選択するようにもできる。
【００６３】
さらに、スイッチ回路５２は、デジタル放送を受信していないときには、デジタル処理回路３４の電力消費を抑える回路であればよい。また、図２、図３及び図４にそれぞれ示すステップ１１６、２１６、２３４、３２２は、デジタル放送の有無をより確実に判別するための処理であり、省略することもできる。
【００６４】
さらに、デジタル放送を受信できなかったときは、上述の図２、図３及び図４にそれぞれ示す受信ルーチン１００、２００、３００のようにデジタル処理回路の電源がオフとされ、終了してもよいが、所定の時間ごとにデジタル放送が受信できるかどうかを検出するステップを繰り返し、デジタル放送の受信が検出された場合は、デジタル処理回路に動作電源電圧を供給して、デジタル放送によるオーディオ信号Ｌ、Ｒが、ミューティング回路１７を通じて出力されるようにしてもよい。
【００６５】
【発明の効果】
本発明によれば、選局操作時に、アナログ放送の放送波信号を受信したときの信号をアナログ処理回路により処理して得られるオーディオ信号又はデジタル放送の放送波信号を受信したときの信号をデジタル信号処理回路により処理して得られるオーディオ信号が選択的に取り出される信号ラインに設けられたミューティング回路をオンにするとともに、上記デジタル信号処理回路への動作電源電圧の供給を停止し、受信周波数の設定を行い、上記アナログ処理回路によりアナログ放送が受信可能か否かを判定し、上記アナログ処理回路によりアナログ放送が受信可能な状態にあるときには、上記デジタル信号処理回路によりデジタル放送を受信可能か否かを判定し、上記デジタル信号処理回路によりデジタル放送が受信可能な状態にあるときに、上記デジタル信号処理回路への動作電源電圧を供給して、上記デジタル信号処理回路によりデジタル放送が受信されると、上記ミューティング回路をオフとし、上記デジタル信号処理回路によりデジタル放送が受信されない場合には、上記デジタル処理回路への動作電源電圧の供給を停止し、上記アナログ処理回路によるアナログ放送の受信状態にして、上記ミューティング回路をオフとするので、余分な電力消費を抑えることができ、デジタル処理回路において発生するノイズ信号が選局動作や受信レベルの検出に妨害を与えることを防止でき、デジタル放送の有無を正確に判別することができる。
【図面の簡単な説明】
【図１】  本発明に係る受信機を示すブロック回路図である。
【図２】  本発明に係る受信機が放送を受信する手順の第１の例を示すフローチャートである。
【図３】  本発明に係る受信機が放送を受信する手順の第２の例を示すフローチャートである。
【図４】  本発明に係る受信機が放送を受信する手順の第３の例を示すフローチャートである。
【図５】  デジタル放送の放送波とアナログ放送の放送波を共存されるときの周波数配置を示す図である。
【図１】
0004147744.tif 000002
【図２】
0004147744.tif 000003
【図３】
0004147744.tif 000004
【図４】
0004147744.tif 000005
【図５Ａ】
0004147744.tif 000006
【図５Ｂ】
0004147744.tif 000007